(57)【要約】【課題】広範囲のダイナミックレンジで撮影した画像に適切なシェーディング補正をすることができる固体撮像装置を提供。【解決手段】デジタルカメラ１０は、固体撮像素子１２を含み、固体撮像素子１２は、撮像部４０を含む。撮像部４０は、複数の受光部４２を含み、各受光部４２は、高感度の受光素子４４および低感度の受光素子４６を含む。高感度の受光素子の画像信号、および低感度の受光素子の画像信号を、それぞれその感度ごとに適切なシェーディング補正を行う。【選択図】　　　　図１
2004072382.tif 000002
【特許請求の範囲】
【請求項１】
行および列方向に配列され、撮像画面を形成する各画素に対応する複数の受光部を含み、
該複数の受光部は、入射光を光電変換して信号電荷を生成する第１の感度を有する第１の受光素子と、第１の感度より低い第２の感度を有する第２の受光素子とを含む固体撮像装置において、該装置はさらに、
第１の受光素子から得られた信号からなる第１の画像信号を、第１の受光素子のシェーディング特性に応じてシェーディング補正し、第２の受光素子から得られた信号からなる第２の画像信号を、第２の受光素子のシェーディング特性に応じてシェーディング補正する補正手段を含むことを特徴とする固体撮像装置。
【請求項２】
請求項１に記載の装置において、前記補正手段は、第１の画像信号を補正するときには第１の受光素子に対応した第１のシェーディング補正データが用いられ、第２の画像信号を補正するときには第２の受光素子に対応した第２のシェーディング補正データが用いられることを特徴とする固体撮像装置。
【請求項３】
請求項１または２に記載の装置において、前記複数の受光部は、行方向および列方向に一定ピッチで正方行列的に配列されていることを特徴とする固体撮像装置。
【請求項４】
請求項１または２に記載の装置において、前記複数の受光部は、行方向および列方向に１つおきに位置をずらして配列されていることを特徴とする固体撮像装置。
【請求項５】
請求項１に記載の装置において、前記複数の受光部は、行方向および列方向に１つおきに位置をずらして配列され、該複数の受光部のそれぞれにおいて、第１の受光素子は前記撮像画面の中央部に近く、また第２の受光素子は該撮像画面の周縁部に近く配置され、前記補正手段は、第１の画像信号および第２の画像信号を、第１の受光素子および第２の受光素子に共通のシェーディング特性に応じて補正することを特徴とする固体撮像装置。
【請求項６】
請求項５に記載の装置において、前記補正手段は、第１の受光素子および第２の受光素子に共通して対応した第３のシェーディング補正データを用いて補正することを特徴とする固体撮像装置。
【請求項７】
請求項５または６に記載の装置において、該装置は、第１の画像信号および第２の画像信号を混合する混合手段を含み、前記補正手段は、第１の画像信号および第２の画像信号を、前記混合手段により混合した画像信号を、第１の受光素子および第２の受光素子に共通のシェーディング特性に応じて補正することを特徴とする固体撮像装置。
【発明の詳細な説明】
【０００１】
【発明の属する技術分野】
本発明は、感度の異なる受光素子およびシェーディング補正機能を有した固体撮像装置に関するものである。
【０００２】
【従来の技術】
従来から、固体撮像装置は、入射光強度に対するダイナミックレンジの狭いことが知られている。このダイナミックレンジは、ある一定以上の入射光強度が入射しても撮像素子が有する飽和レベルで入力の上限が規定されること、および入射光から得られる信号の信号対雑音（Ｓ／Ｎ　）比を所定の値より大きくする下限が規定されることでその範囲が決められている。そこで、受光素子の感度を高くして広ダイナミックレンジにしようとすると、飽和しやすく適切な受光光量を得ることができない。また、受光素子の感度を低くして広ダイナミックレンジにしようとしても、この感度によらずノイズレベルが一定のため、Ｓ／Ｎ　比低下の影響を受けてダイナミックレンジの下限が上昇し、この分だけ狭くなる。
【０００３】
特開平５−２０７３７６号公報に記載の固体撮像装置は、フォトダイオード部の領域を複数の領域に分割し、この領域に設けたスイッチング素子により単位画素の容量素子に蓄積する信号電荷を与える受光面積を変えて画素部の感度を切り換えられるように構成している。これによって、感度を決定する容量素子の容量値を小さくして感度を大きくしても、明るい被写体に対しては受光面積を小さくして感度を低くし制御可能な積分時間範囲内で飽和しないように動作でき、暗い被写体に対しては受光面積を大きくして感度を高くし短い積分時間での動作が実現でき、ダイナミックレンジを拡大している。
【０００４】
また、特開平９−２０５５８９号公報に記載の固体撮像装置は、各受光部を感度が異なる複数の受光領域に分割し、各受光部ごとに複数の受光領域の各々から読み出された信号電荷のうち、隣り合う受光部の同じ感度の受光領域の信号電荷同士を垂直転送レジスタ内で混合して垂直転送し、かつ感度の異なる受光領域の信号電荷を複数本の水平転送レジスタで別々に水平転送するとともに、少なくとも最小感度の受光領域の信号電荷以外の信号電荷、もしくはそれに基づく信号をクリップし、他の感度の受光領域の信号電荷、もしくはそれに基づく信号とを混合もしくは加算して出力するようにしたことにより、高感度側の各信号電荷もしくはそれに基づく信号に対して共通のクランプレベルにてクランプが行われるので、各画素の飽和電荷量のムラに起因する固定パターンノイズを発生することなく、ダイナミックレンジを拡大している。
【０００５】
ところで、固体撮像装置において、固体撮像素子が出力する画像信号は、各受光素子の受光光量の不均一などの原因により、シェーディングが発生する。マイクロレンズが形成された固体撮像素子を用いたデジタルカメラの場合、マイクロレンズの影響を受けて光の入射方向により各受光素子の受光光量が大きく変化する。一般的には、固体撮像素子の周縁部の受光素子では光が傾斜して入射するため、中央部の受光素子に比べて受光光量が減少する。その結果、得られる画像の周縁部の輝度が低下するといういわゆるシェーディングが発生する。従来から、シェーディングが生じた画像信号は、デジタル処理やメモリなどを使用することにより補正され、その補正回路の簡素化が可能になっている。シェーディングには、一般的に、撮像管ないしＣＣＤ　で発生する黒シェーディングと、プリズム、レンズなどの光学系で発生する白シェーディングとがある。たとえば、黒シェーディングの補正では、入射光をゼロにしてバッファメモリに黒シェーディングデータを取り込み、通常動作時に撮像信号からこのバッファメモリ出力を差し引くことにより補正することができる。
【０００６】
【発明が解決しようとする課題】
上述の各公報に記載の固体撮像装置では、各画素において感度の異なる複数の受光素子で得られた信号電荷を混合することによって、広範囲のダイナミックレンジで各画素の画像信号を得ている。しかし、このような固体撮像装置の画像信号をシェーディング補正しようとすると、受光素子ごとにたとえば受光素子の光電変換特性や光の入射角度などが異なるため、適切なシェーディング補正ができない。
【０００７】
本発明はこのような従来技術の欠点を解消し、広範囲のダイナミックレンジで撮影した画像に適切なシェーディング補正をすることができる固体撮像装置を提供することを目的とする。
【０００８】
【課題を解決するための手段】
本発明によれば、行および列方向に配列され、撮像画面を形成する各画素に対応する複数の受光部を含み、この複数の受光部は、入射光を光電変換して信号電荷を生成する第１の感度を有する第１の受光素子と、第１の感度より低い第２の感度を有する第２の受光素子とを含む固体撮像装置は、第１の受光素子から得られた信号である第１の画像信号を、第１の受光素子のシェーディング特性に応じてシェーディング補正し、第２の受光素子から得られた信号である第２の画像信号を、第２の受光素子のシェーディング特性に応じてシェーディング補正する補正手段を含むことを特徴とする。
【０００９】
【発明の実施の形態】
次に添付図面を参照して本発明による固体撮像装置が適用されたデジタルカメラの実施例を詳細に説明する。
【００１０】
実施例の固体撮像装置では、感度、すなわち光電変換効率の異なる受光素子を、受光素子の感応領域の大きさ、すなわちセルの大きさで感度の差をもたらすことによって実現し、これによってダイナミックレンジの拡大を図るとともに、画像信号をシェーディング補正して画像品質の低下を防いでいる。シェーディング補正では、たとえば受光素子の画素配列、被写界からの入射光量もしくは入射角度等の影響から、各受光素子ごとに異なったシェーディング補正データを用意し、これによって、感度の異なる受光素子から得られた画像信号は、それぞれの画素に応じたシェーディング補正を施すことによって、適切な補正が行なわれる。また、感度の低い受光素子は、各画素において撮像画面の中心から遠い側に配置し、たとえば、各画素の受光部において感度の高い受光素子に対して左右上下のいずれかの位置に、全体としては画面中心に対して対称に配置されることにより、シェーディングの偏りを防ぐことができ、これら感度の異なる受光素子でも共通のシェーディング補正を行うことが可能である。本実施例では、受光素子は、セルの大きさで感度の差をもたらしているが、セルの大きさ以外にも、撮像面に配設されるカラーフィルタ、マイクロレンズおよび受光領域における不純物のドープ量などでも感度の差をもたらすことができる。
【００１１】
図６および図７に示すように、１つの画素についてマイクロレンズ５０が形成された受光部４２に注目すると、マイクロレンズ５０の影響を受けて光の入射角度により各受光素子の受光光量は大きく変化する。一般的には、撮像画面の中央部の受光素子では、図６のように、十分な受光光量が得られるが、撮像画面の周縁部の受光素子では、図７のように、光が傾斜して入射しているため、中央部の受光素子に比べて受光光量による画像信号の出力が低下する。また、低感度の受光素子４６では、その受光できる面積が小さいために、光の入射角度によっては、受光光量がほとんど得られないこともある。
【００１２】
図３、図４および図５では、１つの撮像画面における画素の位置に対応した、各受光素子の出力を示している。この撮像画面では、高感度の受光素子と低感度の受光素子とが対になって各画素を形成し、その画素信号は、これらの受光素子の出力の混合により表される。図３では、高感度の受光素子の出力ｏｕｔ１が示されているが、その出力ｏｕｔ１は、撮像画面の周縁部では中央部に比べて小さくなり、画面の中心に対して左右、もしくは上下対称の曲線　１５２となっている。図４では、図３と同じ入射光であった場合の、低感度の受光素子の出力ｏｕｔ２が示されている。図４では、図３と同じように、撮像画面の周縁部においてその出力ｏｕｔ２は小さくなっているが、その出力ｏｕｔ２はシェーディングの偏り　１５０を含んだ曲線　１５４となったいる。本発明ではこのような偏りに対し、適切な補正を行い、または図５に示すようにシェーディングの偏りがないデバイス構造で補正を行っている。
【００１３】
第１の実施例として、デジタルカメラ１０は、図１に示すように、固体撮像素子１２、前処理部１４、Ａ／Ｄ　変換回路１６、シェーディング補正回路１８、デジタル信号処理部２０、ドライバ２２、タイミング発生回路２４、切替スイッチ２６、高感度用記憶回路２８および低感度記憶回路３０を有している。このデジタルカメラ１０は、被写界から入射された光学像が固体撮像素子１２の撮像面に結像され、その結像画像の被写界像に応じた画像信号を生成する撮像装置である。なお、以下の説明において本発明に直接関係のない部分は、図示およびその説明を省略し、また、信号の参照番号はその現れる接続線の参照番号で表わす。
【００１４】
固体撮像素子１２は、光電変換機能および走査機能を有し、本実施例ではＣＣＤ　撮像デバイスを用いるが、ＣＭＯＳ型撮像デバイスなどを用いてもよい。固体撮像素子１２は、撮像領域４０を有し、図２に示すように、撮像領域４０は、受光部４２を複数個有している。受光部４２は、画素に対応する受光セルである。受光部４２は、四角形型に限らない多角形型でよく、また円形でもよい。また、各受光部４２は、撮像領域４０において、行および列方向に配列される。撮像領域４０では、実際には多数の受光部が配列されるが、図２においては、複雑化を避けるため、少数の画素配列しか図示しない。
【００１５】
本実施例では、撮像領域４０の画素配列は、図２に示すように、行方向および列方向に１つおきに位置をずらして受光部４２を配列するハニカム配列を用いているが、行方向および列方向にそれぞれ一定ピッチで正方行列的に配列してもよい。受光部４２は、感応領域が大きくて高感度の受光素子４４、および感応領域が小さくて低感度の受光素子４６を含んでいる。各受光部において、低感度の受光素子は、高感度の受光素子に対して一方の側に、本実施例では、右上に配置している。受光素子４４および４６は、入射光を受光した際に、光を受光光量に応じた電気信号に光電変換する光センサであり、たとえば、フォトダイオードが用いられる。また、高感度の受光素子４４と低感度の受光素子４６は、１つのフォトダイオードを分割するように形成されてもよい。
【００１６】
固体撮像素子１２は、ドライバ２２からの複数のタイミング信号を含む駆動信号　１１０によって駆動され、その駆動および受光量に応じた各画素の受光信号を、画像信号　１０２として前処理部１４に出力する。駆動信号　１１０には、たとえば、電子シャッタパルス、垂直駆動パルスおよび水平駆動パルスなどが含まれている。固体撮像素子１２は、駆動信号　１１０により走査の指示に応動して、１画面分の全画素の信号電荷（光電荷）を走査方式に合わせて順次に受光素子単位で前処理部１４へ出力する。
【００１７】
ドライバ２２は、タイミング発生回路２４から供給される制御信号　１１２に応じて駆動信号を生成する駆動回路である。ドライバ２２は、たとえば垂直タイミング信号とトランスファゲートパルスとを用いて３値の垂直駆動パルスを生成する機能を有する。タイミング発生回路２４は、垂直駆動タイミング信号、水平タイミング駆動信号、トランスファゲートパルスなどの各種タイミング信号を生成する機能を有し、たとえば、固体撮像素子１２を駆動するための制御信号　１１２をドライバ２２へ供給し、またシェーディング補正データを選択する信号　１１４を切替スイッチ２６へ供給する機能を有する。
【００１８】
前処理部１４は、固体撮像素子１２が出力した画像信号　１０２をアナログ信号処理する機能を有し、たとえば、相関二重サンプリング回路（ＣＤＳ、図示せず）や利得可変増幅器（　ＧＣＡ、図示せず）を含んでいる。前処理部１４の出力　１０４は、Ａ／Ｄ　変換回路１６によってデジタル値に変換され、そのデジタル画像信号　１０６は、シェーディング補正回路１８に出力される。
【００１９】
シェーディング補正回路１８は、画像信号　１０６に生じるシェーディングと呼ばれる各受光素子の受光光量の不均一などを、たとえばシェーディング補正データを用いて補正する。シェーディングには、白シェーディングおよび黒シェーディングなどがある。シェーディング補正回路１８は、たとえば、このシェーディング補正データに基づいて、デジタル画像信号　１０６に黒シェーディング補正や白シェーディング補正を施す機能を有する。補正した画像信号　１０８はデジタル信号処理部２０に出力される。
【００２０】
本実施例では、シェーディング補正データには、高感度の受光素子４４が出力する画像信号　１４４を補正するための高感度用補正データ、および低感度の受光素子４６が出力する画像信号　１４６を補正するための低感度用補正データが用いられる。たとえば、高感度用補正データには、図３に示すような曲線　１５２を、その中心付近の最大値からなる直線に補償する曲線　１７２が用いられ、低感度用補正データには、図４に示すような、シェーディングの偏り　１５０を含んだ曲線　１５４を、その偏り　１５０付近の最大値からなる直線に補償する曲線　１７４が用いられる。高感度用補正データは、高感度用記憶回路２８に記憶され、低感度用補正データは、低感度用記憶回路３０に記憶されている。高感度用記憶回路２８および低感度用記憶回路３０は、データを書き換え自在に記憶するランダムアクセス記憶装置や読取専用の固定記憶装置などが用いられ、またそのデータを切換スイッチ２６を介してシェーディング補正回路１８の入力　１１６に供給するよう接続されている。これらの補正データは、切換スイッチ２６によって切り換えられて、高感度用補正データは高感度用記憶回路２８から、低感度用補正データは低感度用記憶回路３０から読み出され、シェーディング補正回路１８に供給される。切換スイッチ２６は、タイミング発生回路２４の供給する制御信号　１１４に制御され、高感度用補正データおよび低感度用補正データを切り換えてシェーディング補正回路１８に供給する機能を有している。
【００２１】
デジタル信号処理部２０は、入力される画像信号に対し、各種演算処理を施す機能を有し、処理された画像信号を出力　１１８に出力する。本実施例では、画像信号１０８に含まれる高感度受光素子の画像信号、および低感度受光素子の画像信号を画素ごとに混合する機能を有し、この混合すなわち合成には、たとえば、加算器などが用いられる。また、信号処理部２０は、画像信号の階調特性を補正するガンマ補正処理を行なう演算機能、また、ＲＧＢ　画像信号を輝度（Ｙ）および色差信号（Ｃ）のＹＣ画像信号に変換する機能などを有している。
【００２２】
デジタル信号処理部２０の出力　１１８は、特に図示はしないが、たとえば処理画像を表示する表示装置や、画像信号を他の装置に伝送する通信装置、画像信号を情報記録媒体に記録する記録装置、さらには、画像プリントを行う印刷装置などに接続され、デジタル信号処理部２０は、その出力　１１８に接続される装置に対応するデータ形式の画像信号に変換処理する機能を含む。
【００２３】
第１の実施例におけるデジタルカメラ１０の動作を説明する。固体撮像素子１２を駆動する駆動信号　１１０に応じて入射光を撮像領域４０で撮像する。撮像領域４０における受光素子が生成する信号電荷は、垂直駆動パルスによって垂直転送路（ＶＣＣＤ）４８に読み出され、順次垂直方向に転送されて水平転送路（ＨＣＣＤ）（図示せず）に送られる。水平転送路では、さらに水平駆動パルスに従って出力側に信号電荷が転送される。出力側では、水平転送路から転送される信号電荷を順次電気信号に変換して画像信号を出力　１０２に出力する。このとき、信号電荷　１０２の前処理部１４への出力は受光素子単位で行われるが、本実施例では特に、高感度の受光素子４４および低感度の受光素子４６はそれぞれ個々に出力される。こうして固体撮像素子１２から読み出された画像信号　１０２は、前処理部１４に入力される。撮像領域４０では信号電荷を読み出す方式として、たとえばフィールド蓄積２行混合読出しの色多重化方式や全画素読出し方式が用いられる。
【００２４】
前処理部１４では、画像信号　１０２を相関二重サンプリングしてノイズ成分を除去し、さらに利得可変増幅器にてそれぞれ均一な利得にて増幅される。こうしてアナログ処理された画像信号　１０４は、Ａ／Ｄ　変換回路１６を介して、デジタル画像信号１０６に変換される。
【００２５】
次にデジタル画像信号　１０６は、シェーディング補正回路１８に供給される。シェーディング補正回路１８では、切換スイッチ２６から供給されるシェーディング補正データ　１１６を使用して、たとえば、補正データ　１１６を画像信号　１０６に乗算して補正する。
【００２６】
本実施例では、切換スイッチ２６は、タイミング発生回路２４が供給する制御信号１１４に制御されて、画像信号　１０６が高感度の画像信号であるときには、高感度補正データをシェーディング補正データ　１１６としてシェーディング補正回路１８に供給し、また画像信号　１０６が低感度の画像信号であるときには、低感度補正データをシェーディング補正データ　１１６としてシェーディング補正回路１８に供給している。
【００２７】
本実施例において、たとえば、高感度用補正データには、図３に示すような曲線　１５２を、その中心付近の最大値からなる直線に補償する曲線　１７２を用いて、補正回路１８において、高感度受光素子４４の出力に高感度用補正データを乗算することにより補正する。また、たとえば、低感度用補正データでは、図４に示すような、シェーディングの偏り　１５０を含んだ曲線　１５４を、その偏り　１５０付近の最大値からなる直線に補償する曲線　１７４がを用いて、補正回路１８において、低感度受光素子４６の出力に低感度用補正データを乗算することにより補正する。
【００２８】
補正した画像信号　１０８は、デジタル信号処理部２０に供給され、１画素を形成するために対になっている高感度受光素子の出力と低感度受光素子の出力とを、たとえば加算することによって混合する。
【００２９】
このように、感度の異なる受光素子ごとに、適切なシェーディング補正データを使用することによって、たとえばシェーディングが偏っている画像に対しても、適切なシェーディング補正を行なうことができる。また、高感度受光素子の出力と低感度受光素子の出力とを混合することによって、広範囲のダイナミックレンジを得ることができる。
【００３０】
ところで、第２の実施例として、各画素において低感度の受光素子を画面の中心から遠い側に配置し、たとえば、各画素の受光部において高感度の受光素子に対して左右上下のいずれかの位置に、全体としては画面中心に対して対称に配置した撮像装置を説明する。これによって、シェーディングの偏りを防ぐことができ、そのために高感度受光素子および低感度受光素子に対して共通のシェーディング補正を行なうことができる。
【００３１】
本実施例によれば、デジタルカメラ６０は、図８に示すように、固体撮像素子６２および補正データ記憶回路６４を含む撮像領域６０は、ハニカム配列であるが、各受光部における低感度の受光素子を、たとえば、撮像領域８０の中心である点９０を中心として、受光部８２は同図における右上に、受光部８４は右下に、受光部８６は左下に、また受光部８８は左上になるように、それぞれ配置している。他の受光部も同様に配置することにより、低感度の受光素子は、撮像領域８０において点９０を中心として同心状に配置している。また、この図９のような配置に限らず、低感度の受光素子は、各画素において画面の中心から遠い側に配置されるのがよい。
【００３２】
このように、低感度の受光素子９８は、撮像領域８０において、点９０を中心として同心状に配置して画素配列されることによって、その出力は、図４に示すシェーディングの偏り　１５０を防ぐことができる。たとえば、図５に示すように、低感度受光素子９８の出力ｏｕｔ３は、撮像画面の周縁部では中央部に比べて小さくなり、画面の中心に対して左右、もしくは上下対称の曲線　１５６となっている。また、このとき、高感度の受光素子９６は、その受光領域が大きいために、この配置にはほとんど影響されずに受光することができる。
【００３３】
本実施例では、高感度受光素子９６の出力は、図３に示す曲線　１５２のように表され、低感度受光素子９８の出力は、図５に示す曲線　１５６のように表される。両受光素子は、出力の最大値（飽和値）が同じで、撮像画面周縁部における出力の減少はシェーディングによるものであるため、これらの曲線は、共通に使用でき、同じ補正データを用いてシェーディング補正できると考えられる。
【００３４】
したがって、本実施例のデジタルカメラ６０では、シェーディング補正データを記憶する補正データ記憶回路６４を１つ含んでいればよい。補正データ記憶回路６４は、データを書き換え自在に記憶するランダムアクセス記憶装置や読取専用の固定記憶装置などが用いられ、高感度受光素子９６の出力および低感度受光素子９８の出力に共通して使用できるシェーディング補正データを記憶している。補正データ記憶回路は、タイミング発生回路の供給する制御信号　１６２により制御され、共通シェーディング補正データ　１６０をシェーディング補正回路１８に供給する。
【００３５】
また、撮像領域８０は、複数列の垂直転送路（ＶＣＣＤ）９２を有して、各受光部を垂直方向にジグザグ状に縫うようにして設置している。垂直転送路９２には、各受光部から転送された信号電荷を列方向に転送する垂直転送電極が形成され、本実施例では、４つの領域を形成する垂直転送電極（Ｖ１〜Ｖ４）が接続されている。垂直転送路９２は、これらの電極（Ｖ１〜Ｖ４）により１つの受光部あたり４電極構造となっている。垂直駆動パルスがそれぞれ垂直転送電極に供給されると、信号電荷が垂直転送路に読み出され、垂直転送路９２は、読み出した信号電荷を垂直方向に、すなわち水平転送路（図示せず）に向けて順次転送する。水平転送路は、水平駆動パルスに応動して、水平方向に信号電荷を転送する機能を有している。撮像領域８０では信号電荷を読み出す方式として、たとえばフィールド蓄積２行混合読出しの色多重化方式や全画素読出し方式が用いられる。
【００３６】
本実施例では、図９に示すように、低感度受光素子９８が右上および左上に配置しているとき、垂直転送電極Ｖ１およびＶ３には高感度受光素子９６が接続され、また垂直転送電極Ｖ２およびＶ４には低感度受光素子９８が接続されている。また、低感度受光素子９８が右下および左下に配置しているとき、垂直転送電極Ｖ１およびＶ３には低感度受光素子９８が接続され、また垂直転送電極Ｖ２およびＶ４には高感度受光素子９６が接続されている。
【００３７】
各受光素子は、受光して変換した信号電荷を漏れないように信号読出しを行うトランスファゲート（図示せず）が形成されている。トランスファゲートは電極を介して供給されるトランスファゲートパルス（あるいはフィールドシフトパルス）により信号電荷を各受光素子から垂直転送路９２に転送する。
【００３８】
ここで、固体撮像素子６２を駆動する駆動信号　１１０に関わる信号について図１０および図１１のタイミングチャートを参照しながら説明する。ｎ相駆動（ｎは自然数）で垂直転送を行うとき、タイミング発生回路２４が出力する垂直駆動タイミング信号Ｖｎ、およびドライバ２２の出力する垂直転送パルスφＶｎについて、その第１フィールドにおける波形を図１０に、第２フィールドにおける波形を図１１に示す。本実施例では、４相駆動で垂直転送して、そのときの垂直駆動タイミング信号をＶ１〜Ｖ４とし、また垂直転送パルスをφＶ１〜φＶ４としている。垂直駆動タイミング信号Ｖ１〜Ｖ４は、２値（高レベル／低レベル）をとる信号でタイミング発生回路２４が出力する。垂直駆動パルスφＶ１〜φＶ４は、３値（高レベル／中レベル／低レベル）で表す信号で、ドライバ２２が、たとえば垂直タイミング信号Ｖ１〜Ｖ４とトランスファゲートパルスとを用いて生成している。
【００３９】
このように生成した垂直駆動信号φＶｎが、垂直転送路９２に形成した垂直転送電極に与えられる。垂直駆動信号φＶｎが高レベルのときにトランスファゲートはオン状態となる。このとき、受光素子に蓄積された信号電荷が垂直転送路９２に転送される。そして、垂直転送路９２は、垂直駆動信号φＶｎが中レベルのときに垂直転送路９２内に形成するポテンシャルの深さに応じて信号電荷を移動させている。このようにトランスファゲートパルスおよび垂直駆動タイミング信号Ｖｎを用いて、各受光素子に蓄積された信号電荷を垂直転送路９２に転送させるとともに、垂直転送路９２に転送した信号電荷を転送する駆動制御を行っている。
【００４０】
本実施例では、シェーディング補正回路１８では、高感度受光素子９６の出力および低感度受光素子９８の出力を、共通シェーディング補正データ　１６０を用いてシェーディング補正して、補正した画像信号をデジタル信号処理部２０に供給している。また、デジタル信号処理部２０において、高感度受光素子９６の出力および低感度受光素子９８の出力を混合することによって、ダイナミックレンジを拡大している。
【００４１】
ところで、上述のように、シェーディング補正回路１８において共通の補正データが使用できる場合は、高感度受光素子９６の出力および低感度受光素子９８の出力とを画素ごとに混合した画像信号を、シェーディング補正回路１８に供給して、シェーディング補正をするように構成してもよい。このような変形実施例では、たとえば、固体撮像素子１２、前処理部１４またはＡ／Ｄ　変換回路１６などにおいて、高感度出力と低感度出力とが混合され、デジタル信号処理部２０は、その混合機能を有しない。
【００４２】
このように、各受光部の低感度受光素子９８が、固体撮像素子６２の撮像領域８０において、点９０を中心として同心状に配置して画素配列することによって、シェーディングの偏りを防ぐことができ、高感度の受光素子９６および低感度の受光素子９８に対して共通のシェーディング補正を行なうことができる。また、共通のシェーディング補正を行なうことができるために、シェーディング補正回路１８の負荷を減らすこともできる。
【００４３】
【発明の効果】
このように本発明によれば、固体撮像装置は、感度の異なる受光素子が形成された受光部が画素配列している撮像領域を用いてダイナミックレンジを拡大し、各受光素子から得られる画像信号を、その感度の異なる受光素子ごとに適切なシェーディング補正データを使用することにより適切なシェーディング補正をすることができる。
【００４４】
また、感度の異なる受光素子が形成された受光部において、各画素において低感度の受光素子を撮像領域の中心から遠い側に配置することにより、シェーディングが偏ることを防ぎ、感度の異なる受光素子から得られる画像信号に共通のシェーディング補正をすることができる。
【図面の簡単な説明】
【図１】本発明に係る固体撮像装置における、第１の実施例のデジタルカメラの概略的な構成を示すブロック図である。
【図２】図１に示す第１の実施例の固体撮像素子において、その撮像領域の一部を入射光の側から見た平面図である。
【図３】図１に示す固体撮像素子の撮像画面において、高感度の受光素子の出力を、全画素について表したグラフである。
【図４】図１に示す固体撮像素子の撮像画面において、シェーディングが偏っているときに、低感度の受光素子の出力を、全画素について表したグラフである。
【図５】図８に示す固体撮像素子の撮像画面において、低感度の受光素子の出力を、全画素について表したグラフである。
【図６】図１に示す固体撮像素子の撮像画面において、撮像画面の中央部付近に位置する受光部の説明的断面図である。
【図７】図１に示す固体撮像素子の撮像画面において、撮像画面の周縁部付近に位置する受光部の説明的断面図である。
【図８】本発明に係る固体撮像装置における、第２の実施例のデジタルカメラの概略的な構成を示すブロック図である。
【図９】図８に示す第２の実施例の固体撮像素子において、その撮像領域の一部を入射光の側から見た平面図である。
【図１０】図８の固体撮像素子の第１フィールドにおいて、タイミング発生回路が出力する垂直駆動タイミング信号およびドライバが出力する垂直駆動パルスのタイミングチャートである。
【図１１】図８の固体撮像素子の第２フィールドにおいて、タイミング発生回路が出力する垂直駆動タイミング信号およびドライバが出力する垂直駆動パルスのタイミングチャートである。
【符号の説明】
１０　デジタルカメラ
１２　固体撮像素子
１４　前処理部
１６　Ａ／Ｄ　変換回路
１８　シェーディング補正回路
２０　デジタル信号処理部
２２　ドライバ
２４　タイミング発生回路
２６　切換スイッチ
２８　高感度用記憶回路
３０　低感度用記憶回路
【図１】
2004072382.tif 000003
【図２】
2004072382.tif 000004
【図３】
2004072382.tif 000005
【図４】
2004072382.tif 000006
【図５】
2004072382.tif 000007
【図６】
2004072382.tif 000008
【図７】
2004072382.tif 000009
【図８】
2004072382.tif 000010
【図９】
2004072382.tif 000011
【図１０】
2004072382.tif 000012
【図１１】
2004072382.tif 000013